(57)【要約】【課題】大当り又は外れの判定結果の報知を規則性を持たせた表示制御により行うパチンコ機を提供する。【解決手段】演出パターンとして出汁巻き卵リーチによる演出パターンが選択された場合に、液晶表示器５２の表示領域５３に対してフライパン８６と第３図柄９２とをそれぞれ表示し、第３図柄９２に重畳して表示された卵８５をフライパン８６の上で左方向と右方向に交互に巻き取りつつ規則的に移動させ（Ｓ１５７〜Ｓ１６０）、当り図柄を停止表示するまで卵８５の移動を完了させることができたか否かによって抽選結果を遊技者に報知するように構成する。【選択図】図１９
2007312978.tif 000002
【特許請求の範囲】
【請求項１】
遊技領域に設けられて複数の識別図柄を変動表示する図柄表示装置を備え、前記各識別図柄が変動後、最終停止図柄以外の図柄を所定の態様の一部を構成する組合せで停止表示した状態で最終停止図柄が変動するリーチ状態から最終停止図柄が前記所定の態様を構成する識別図柄で停止した場合に、遊技者に有利な特別遊技状態が発生するパチンコ機において、
前記リーチ状態には、前記図柄表示装置に演出キャラクタを前記最終停止図柄に対して重畳して表示する重畳表示手段と、
前記演出キャラクタを第１方向に移動させた後に重畳して表示された前記最終停止図柄を変動する第１図柄変動手段と、
前記演出キャラクタを前記第１方向と異なる第２方向に移動させた後に重畳して表示された前記最終停止図柄を変動する第２図柄変動手段と、
前記第１図柄変動手段による前記最終停止図柄の変動と前記第２図柄変動手段による最終停止図柄の変動とを所定間隔で交互に所定回数実行された後に、最終停止図柄を前記所定の態様を構成する識別図柄で停止する大当り報知手段と、
前記第１図柄変動手段による前記最終停止図柄の変動と前記第２図柄変動手段による最終停止図柄の変動とが所定間隔で交互に所定回数実行された後に、前記演出キャラクタを第１方向又は第２方向に所定距離移動させた後に移動前の位置方向へと演出キャラクタを戻し、前記最終停止図柄を前記所定の態様を構成する識別図柄以外の識別図柄で停止するハズレ報知手段と、
を有することを特徴とするパチンコ機。
【請求項２】
前記第１方向と第２方向とのなす角度は１８０度であることを特徴とする請求項１に記載のパチンコ機。
【発明の詳細な説明】
【技術分野】
【０００１】
本発明は、パチンコ機に関し、特に大当り又は外れの判定結果の報知を規則性を持たせた表示制御により行うパチンコ機に関する。
【背景技術】
【０００２】
従来より、パチンコ機等の遊技機は、識別図柄の組合せに基づき遊技機内部の遊技判定結果を直接的に遊技者に報知することで正確な情報伝達を行うと共に、識別図柄の組合せによる報知に合わせて演出キャラクタを用いた映像演出・音選出・ＬＥＤ演出を行うことで、これら演出による間接的報知で直接的な識別図柄の組合せによる報知だけでは実現することが不可能な、遊技機のエンターテイメント性の向上を達成し、遊技機が遊技機であるための正確な判定報知と遊びを両立させてきた。
このような間接的報知として、例えば、大当りを報知する識別図柄の組合せが成立する一段階前の状態まで識別図柄を表示させ、その状態で演出キャラクタ等を用いた様々な画像を表示させた後に最終的な識別図柄の組合せを表示する所謂リーチ表示制御等がある。
例えば、特許文献１には、演出キャラクタを図柄に重複して表示させ、最後に変動停止する中スクロール表示列の変動停止が演出キャラクタの動作の変化によって停止制御せしめられるように表示制御することにより、演出キャラクタの動作の変化によってあたかも変動停止が操作されているかの印象を遊技者に与え、大きな興味と期待感を与えることができるパチンコ機が提案されている。
【特許文献１】特開２００１−１８７２１６号公報（第６頁〜第８頁、図３、図４）
【発明の開示】
【発明が解決しようとする課題】
【０００３】
しかしながら、前記特許文献１のように従来のパチンコ機では、演出キャラクタの動作の変化によって大当り又は外れの判定結果を遊技者が事前に予測できてしまうことが多かった。ここで、パチンコ機による大当り又は外れの判定結果の報知については、判定結果を遊技者に認識させるタイミングがどのタイミングでも良いというわけではない。演出の盛り上げの都合上、ある特定のタイミングとなるまでに結果が十分な確実性で予測されてしまうことは、パチンコ機本来のあり方に反する。
そこで、判定結果を遊技者に認識させるタイミングをコントロールする方法の一つとして、同一種類の表示制御を所定間隔で繰り返し行った後に判定結果を表示する方法がある。ここで、同一種類の表示制御を所定間隔で繰り返し行うこととすれば、時間の経過に伴う判定結果の報知演出に対する遊技者の認識に差が生じ無くなる。即ち、演出キャラクタの表示直後でも判定結果の表示直前であっても同一種類の表示制御が行われることになるので、遊技者の認識力を徐々に低下させ、判定結果の表示直前まで結果を十分に予測させないことが可能であると考えられる。
【０００４】
そこで、本発明は、演出キャラクタを用いてパチンコ機による大当り又は外れの判定結果を報知する為の演出を行いながらも、ある特定のタイミングとなるまで結果が十分な確実性で予測され難くしたパチンコ機を提案する。
【課題を解決するための手段】
【０００５】
前記目的を達成するため請求項１に係るパチンコ機は、各識別図柄が変動後、所定の態様を構成する一つ手前の変動状態となるリーチ状態において、最終停止図柄に重畳して表示した演出キャラクタを第１方向及び第２方向に所定間隔で交互に移動させることにより最終停止図柄を変動させ、その後、最終停止図柄を所定の態様を構成する識別図柄で停止するか、又は演出キャラクタを第１方向又は第２方向に所定距離移動させた後に逆方向へと移動させ、最終停止図柄を所定の態様を構成する識別図柄以外の識別図柄で停止することを特徴とする。
前記請求項１に係るパチンコ機によれば、大当り又は外れの判定結果の報知を規則性を持たせた演出キャラクタと最終停止図柄の表示制御により行うことができ、ある特定のタイミングとなるまで結果が十分な確実性で予測され難くすることができる。
【０００６】
また、請求項２に係るパチンコ機は、請求項１に記載のパチンコ機であって、最終停止図柄を重畳して表示した演出キャラクタを１８０度角度の異なる第１方向及び第２方向に交互に移動させることで最終停止図柄を変動させることを特徴とする。
前記請求項２に係るパチンコ機によれば、１８０度異なる方向へと交互に移動させることにより、より規則性を持たせた表示制御が可能となる。
【発明を実施するための最良の形態】
【０００７】
以下、本発明に係るパチンコ機について具体化した一実施形態について図面を参照して詳細に説明する。先ず、本実施形態に係るパチンコ機１の概略構成について図１及び図２に基づき説明する。
【０００８】
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して、外枠２に対して該外枠２の開口を開閉自在に取り付けられている。そして、この内枠３のほぼ上半分の前側には、合成樹脂製の前面カバー部材４が左端縁部の上下を軸支されて開閉自在に取り付けられている。また、この前面カバー部材４のほぼ中央部には略円形の窓部５が開設され、この窓部５の外周縁部に形成されるガラス保持枠に装着された２枚のガラスを通して遊技盤４１（図３参照）上の遊技領域４２（図３参照）を見ることができるように構成されている。また、前面カバー部材４の窓部５の左上端縁部には、フルカラーの発光ダイオードが内蔵され、遊技中のエラーを表示するエラー表示電飾ランプ６を構成している。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーの発光ダイオードが窓部５の外周部に沿って内蔵され、遊技中に光演出が行われる。
【０００９】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取り付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１０】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイド（不図示）や発射勢装置として機能する発射制御基板ケース３０内に配設される発射制御基板等から構成され、該発射制御基板は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０における回動操作部材１０Ａの回動量を調節することによって、該操作ハンドル１０内に取り付けられた可変抵抗器の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１１】
また、この内枠３のほぼ中央部には、遊技盤４１が着脱自在なように、鉄板等の金属製や合成樹脂製の機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球払出装置２２にパチンコ球を送る通路を形成するタンクレール２３が取り付けられている。また、賞球払出装置２２内には、賞球案内部２４内の賞球通路を通過するパチンコ球を確認する球有り検出スイッチ（不図示）やパチンコ球の払い出しを調節する払い出しステッピングモータ（不図示）が内装されている。そして、これら賞球タンク２１、タンクレール２３、賞球案内部２４、賞球払出装置２２等により賞球の払い出しシステムが構成されている。
【００１２】
また、タンクレール２３の下側には液晶表示器（ＬＣＤ）５２（図３参照）等を制御する演出表示基板２６０（図４参照）が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ、及びエラー表示電飾ランプ６等のフルカラーダイオード等を駆動制御するとともに、演出表示基板２６０による表示制御とスピーカ等に関する音制御との間に因果関係を持たせる制御を行うサブ統合制御基板２８０（図４参照）が内蔵されるサブ統合制御基板ケース２８が配設されている。また、このサブ統合制御基板ケース２８の下側には、パチンコ機１の遊技動作を制御する主制御基板２９０（図４参照）が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００１３】
次に、遊技盤４１上の遊技領域４２の構成について図３に基づいて説明する。
図３に示すように、この遊技領域４２は、所定厚さの板材をなした遊技盤４１上に入賞口などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
遊技領域４２のほぼ中央には、開口部が開設され、この開口部の前面側に図柄表示装置４８が配設されている。この図柄表示装置４８は、遊技盤４１の背面部に取り付けられる液晶表示器５２等から構成されており、また、この液晶表示器５２は、遊技者側に向かう略四角形状をなす表示領域５３を有している。この表示領域５３は、表示領域５３の下方に設けられ、後述のリーチ演出進行中においては識別図柄である変動図柄の画像や演出キャラクタである卵の画像等が表示される（図２０〜図３０参照）。
ここで、変動図柄は、表示領域５３内の左側及び中央側並びに右側に、それぞれ上下方向に変動又は停止した状態で表示される。尚、変動する３列の変動図柄は、「１，２，３，４，５，６，７，８」のいずれかの数字図柄から構成され、変動する際には各列の図柄が上から下へと移動し、その各列の図柄の変化順序は通常、「１」→「２」→・・・→「８」→「１」→「２」→・・・のループ状となっている。更に、また、表示領域５３の左下角部には、左右に２分割された普通図柄を表示する普通図柄表示部５０が構成されている。
【００１４】
一方、図柄表示装置４８の左側にはゲート５４が配設されている。また、このゲート５４にはパチンコ球の通過を検出するゲートスイッチ５４Ａ（図４参照）が備えられている。また、図柄表示装置４８の左右の下角部の外側には、風車５５、５６が設けられている。
また、図柄表示装置４８の直下には、始動口５７が配設されている。この始動口５７には、パチンコ球の入賞を検出する始動口スイッチ５７Ａ（図４参照）が設けられ、パチンコ球の入賞を検出することで変動図柄の変動が開始される。そして、変動図柄が変動中に始動口５７に入賞した場合には、入賞個数が４個まで後述の主制御基板２９０（図４参照）に設けられるＲＡＭの第１保留カウンタ（後述する）に記憶されて変動図柄の変動確定回数として保留される。
【００１５】
また、ゲートスイッチ５４Ａが、ゲート５４でのパチンコ球の通過を検出することで普通図柄表示部５０の普通図柄が変動する。そして、このゲート５４にパチンコ球が入って、普通図柄表示部５０の普通図柄が変動後、所定の表示態様で停止した場合（例えば、「１１」、「７７」のように揃った場合等）には、始動口５７の上部に設けられるチューリップ式役物５７Ｂが所定時間（本実施形態では、約１秒間）開かれ、この始動口５７にパチンコ球が入賞する確率が増加する。また、普通図柄が変動中にゲート５４をパチンコ球が通過した場合には、通過個数が４個まで主制御基板２９０に設けられるＲＡＭの第２保留カウンタ（後述する）に記憶されて普通図柄の変動確定回数として保留される。
【００１６】
そして、始動口５７の下側には、横幅が広い上方に開口する開閉扉５９で前面部を覆われる大入賞口（可変入賞口）６０が形成された特別入賞装置（可変入賞装置）６１が配設されている。また、この大入賞口６０の左右両側には上方に開口する各入賞口６２、６３が配設されて遊技盤４１裏面の不図示の賞球樋に連通され、この各入賞口６２、６３への入賞を検出する入賞口スイッチ（不図示）が設けられている。また、各入賞口６２、６３の下側には、各電飾ランプ６２Ａ、６３Ａが内蔵されている。
また、特別入賞装置６１の直下にはレール４３に沿ってアウト口６５が開設されている。更に、レール４３に囲まれたこのような遊技領域４２には、前記各構成物とともに複数の釘が打設されてパチンコ球の複雑な流路を構成している。
【００１７】
次に、上記のように構成されたパチンコ機１の駆動制御に係る制御システムの構成について図４乃至図９に基づいて説明する。
図４に示すように、パチンコ機１の駆動制御に係る制御システムは、主制御基板２９０、サブ統合制御基板２８０及び演出表示基板２６０等から構成されている。
主制御基板２９０は、ＣＰＵ２９１、ＲＯＭ２９２、ＲＡＭ２９３、及び及び入出力回路（Ｉ／Ｏ）２９４等から構成され、このＣＰＵ２９１、ＲＯＭ２９２、ＲＡＭ２９３、及び入出力回路２９４は、バス線により相互に接続されている。また、ＣＰＵ２９１にはクロック回路２９５が接続されて所定のクロック信号が入力される。また、入出力回路２９４には、ゲートスイッチ５４Ａ、始動口スイッチ５７Ａ等が接続されている。また、この入出力回路２９４には、開閉扉５９を開閉する開閉ソレノイド５９Ａ、及びチューリップ式役物５７Ｂを開閉するソレノイド５７Ｃが接続されている。
【００１８】
また、図５に示すように、主制御基板２９０のＲＡＭ２９３には、クロック回路２９５から入力されるクロック信号に基づいて０から３５９まで繰り返し１ずつ加算した数値（最大値３５９の次には最小値０に戻る）が格納される大当りカウンタ２９３Ａが設けられている。この大当りカウンタ２９３Ａのカウント値は、始動口スイッチ５７Ａからスイッチ信号が入力されるタイミングで読み取られ、その読み取られたカウント値に基づき大当りかどうか判断される。ここでは、例えば、カウント値「７」が大当りに対応し、その他のカウント値はハズレとなる。ここでは、例えば、通常時は、カウント値「７」が大当りに対応し、いわゆる確率変動モード（確変獲得時）の場合には、カウント値「１、３、５、７」が大当りに対応しており、その他のカウント値は外れとなる。従って、非確変モード時の遊技状態の場合は、１／３６０の確率で大当りが発生し、確率変動の遊技状態の場合は、４／３６０の確率で大当りが発生する。
尚、大当りに当選した場合には、表示領域５３の左、中、右の３列の変動図柄が変動後、各図柄「１」、「２」、・・・、「７」、「８」のうちのいずれかが「１１１」、「２２２」、・・・、「７７７」、「８８８」と揃って確定停止して表示され、その後、大入賞口６０が所定回数（例えば、１６回である。）連続して、毎回３０秒間又は３０秒以内に１０個入賞するまで開放され、遊技者に多くの賞球が払い出される（換言すれば遊技者に有利な状態である）いわゆる大当り遊技を行うことができる。
【００１９】
また、ＲＡＭ２９３には、クロック回路２９５から入力されるクロック信号に基づいて０から９まで繰り返し１ずつ加算した数値（最大値９の次には最小値０に戻る）が格納される普通図柄カウンタ２９３Ｂが設けられている。かかる普通図柄カウンタ２９３Ｂのカウント値は、各ゲートスイッチ５４Ａからスイッチ信号が入力されるタイミングで読み取られ、その読み取られたカウント値に基づいて当りかどうか判断される。ここでは、例えば、カウント値が偶数の場合が当りに対応し、奇数の場合が外れに対応している。
【００２０】
ここで、普通図柄カウンタ２９３Ｂは、ゲート５４（図３参照）をパチンコ球が通過した際に、パチンコ球の通過を検出するゲートスイッチからの信号が入力されたときに記憶されている数値をその時の「普通図柄カウント値」としてパラメータ記憶エリア２９３Ｋに記憶する。
【００２１】
また、液晶表示器５２の図柄が変動中に始動口５７に入賞した入賞個数が最大４個までカウントされる第１保留カウンタ２９３Ｃが設けられている。また、普通図柄表示部５０の普通図柄が変動中にゲート５４を通過した通過個数が最大４個までカウントされる第２保留カウンタ２９３Ｄが設けられている。
【００２２】
また、ＲＡＭ２９３には、クロック回路２９５から出力されるクロック信号に基づいて０から１４２まで繰り返し１ずつ加算した数値（最大値１４２の次には最小値０に戻る）が格納されるリーチカウンタ２９３Ｅが設けられている。かかるリーチカウンタ２９３Ｅのカウント値は、始動口スイッチ５７Ａからスイッチ信号が入力されるタイミングで読み取られ、その読み取られたカウント値に基づきリーチとなるかどうか判断される。ここでは、例えば、カウント値「０〜２７」がリーチ後に外れとなるリーチハズレの場合に対応し、カウント値「２８〜１４２」がリーチに至ることなく直ちにハズレとなる完全ハズレの場合に対応している。尚、ここでリーチとは、大当りが発生する可能性が存在する２個の変動図柄の組合せが仮停止することによって発生する大当り判定結果の報知演出の一つである。
【００２３】
また、ＲＡＭ２９３には、クロック回路２９５から出力されるクロック信号に基づいて０から７まで繰り返し１ずつ加算した数値（最大値７の次には最小値０に戻る）が格納される大当り特別図柄選択カウンタ２９３Ｆが設けられている。かかる大当り特別図柄選択カウンタ２９３Ｆのカウント値は、始動口スイッチ５７Ａからスイッチ信号が入力されるタイミングで読み取られ、その読み取られたカウント値に基づき特別図柄の大当り図柄が選択される。例えば、カウント値「０」が大当り図柄「１１１」、カウント値「１」が大当り図柄「２２２」、カウント値「２」が大当り図柄「３３３」、カウント値「３」が大当り図柄「４４４」、カウント値「４」が大当り図柄「５５５」、カウント値「５」が大当り図柄「６６６」、カウント値「６」が大当り図柄「７７７」、カウント値「７」が大当り図柄「８８８」に対応している。尚、各大当り図柄は、後述のように各種の表示演出を経た後に表示領域５３に停止表示される装飾図柄の組合せのパターンを特定するとともに、大当り遊技終了後に確変モード状態に移行する「確変大当り」に当選したか否かの判定手段となる。
【００２４】
また、ＲＡＭ２９３には、クロック回路２９５から出力されるクロック信号に基づいて０から３まで繰り返し１ずつ加算した数値（最大値３の次には最小値０に戻る）が格納される普通図柄選択カウンタ２９３Ｇが設けられている。ここでは、例えば、カウント値「０」が普通図柄「１１」、カウント値「１」が普通図柄「１７」、カウント値「２」が普通図柄「７１」、カウント値「３」が普通図柄「７７」に対応している。尚、各普通図柄は、公知のように、一連の図柄変動を経た後に停止表示される図柄である。
【００２５】
ここで、普通図柄選択カウンタ２９３Ｇは、ゲート５４（図３参照）をパチンコ球が通過した際に、パチンコ球の通過を検出するゲートスイッチからの信号が入力されたときに記憶されている数値をその時の「普通図柄選択カウント値」として後述のパラメータ記憶エリア２９３Ｋに記憶する。
【００２６】
また、ＲＡＭ２９３には、クロック回路２９５から出力されるクロック信号に基づいて０から９まで繰り返し１ずつ加算した数値（最大値９の次には最小値０に戻る）が格納される変動パターン選択カウンタ２９３Ｈが設けられている。かかる変動パターン選択カウンタ２９３Ｈのカウント値は、始動口スイッチ５７Ａからスイッチ信号が入力されるタイミングで読み取られる。尚、変動パターン選択カウンタ２９３Ｈのカウント値は、液晶表示器５２の３列の変動図柄の変動が開始されるタイミングで読み取るように構成してもよい。また、この変動パターン選択カウンタ２９３Ｈのカウント値に基づいて選択される変動パターンコマンドは、公知のように、各種の表示演出に基づき図柄表示装置４８で一連の図柄変動を表示する変動パターンを特定したコマンドであり、本実施形態においては、後述のように表示演出時間として完全ハズレの変動パターンでは「５秒間」のものが設定されている。また、リーチハズレの変動パターンでは「２０秒間」、「３０秒間」の２種類のものが設定されている。更に、大当り（通常大当り及び確変大当り）の変動パターンでは「２２秒間」、「３２秒間」の２種類のものが設定されている。
【００２７】
また、ＲＡＭ２９３には、クロック回路２９５から出力されるクロック信号に基づいて０から２００まで繰り返し１ずつ加算した数値（最大値２００の次には最小値０に戻る）が格納されるハズレ図柄選択カウンタ２９３Ｉが設けられている。かかるハズレ図柄選択カウンタ２９３Ｉのカウント値は、始動口スイッチ５７Ａからスイッチ信号が入力されるタイミングで読み取られる。
また、ＲＡＭ２９３には、クロック回路２９５から出力されるクロック信号に基づいて０から１４３まで繰り返し１ずつ加算した数値（最大値１４３の次には最小値０に戻る）が格納されるリーチハズレ図柄選択カウンタ２９３Ｊが設けられている。かかるリーチハズレ図柄選択カウンタ２９３Ｊのカウント値は、始動口スイッチ５７Ａからスイッチ信号が入力されるタイミングで読み取られる。
【００２８】
また、ＲＡＭ２９３には、始動口スイッチ５７Ａからスイッチ信号が入力されたときの各カウンタ２９３Ａ〜２９３Ｊのカウント値等が記憶されるパラメータ記憶エリア２９３Ｋが設けられている。
尚、各カウンタ２９３Ａ〜２９３Ｊの各カウント値及びパラメータ記憶エリア２９３Ｋは、起動時に「０」に初期化される。また、第１保留カウンタ２９３Ｃは、特別図柄が変動を開始する毎に１減算される。また、第２保留カウンタ２９３Ｄは、普通図柄が変動を開始する毎に１減算される。
【００２９】
また、図６に示すように、ＲＯＭ２９２には、前記変動パターンのカウント値に基づいて、変動パターンを決定する後述の変動パターン決定テーブル７４（図１０参照）が格納される変動パターン決定テーブル記憶エリア２９２Ａが設けられている。
【００３０】
以下に、主制御基板２９０のＲＯＭ２９２の変動パターン決定テーブル記憶エリア２９２Ａに記憶される変動パターン決定テーブル７４について図１０に基づいて説明する。図１０は本実施形態に係るパチンコ機１の主制御基板２９０のＲＯＭ２９２の変動パターン決定テーブル記憶エリア２９２Ａに記憶される変動パターン決定テーブルの一例を示す図である。
図１０に示すように、本実施形態に係る変動パターン決定テーブル７４は、大きく３つのパターン群により構成され、大当りカウンタ２９３Ａのカウント値よりハズレと判断され、且つリーチカウンタ２９３Ｅのカウント値よりリーチが発生しないと判断された場合に選択される完全ハズレ変動パターン（変動パターンコマンド１）と、大当りカウンタ２９３Ａのカウント値よりハズレと判断され、且つリーチカウンタ２９３Ｅのカウント値よりリーチが発生すると判断された場合に選択されるリーチハズレ変動パターン群（変動パターンコマンド１１、変動パターンコマンド１２）と、大当りカウンタ２９３Ａのカウント値より大当りと判断された場合（通常大当りか確変大当りかは不問）に選択される大当り変動パターン群（変動パターンコマンド２１、変動パターンコマンド２２）とがある。
そして、先ず、各カウント値により「確変大当り」、「通常大当り」、「リーチハズレ」、「完全ハズレ」が判断され、その後、変動パターン決定テーブル７４の対応するパターン群より変動パターン選択カウンタ２９３Ｈのカウント値に基づいて変動パターン（変動パターンコマンド）が決定される。
【００３１】
また、図４に示すように、サブ統合制御基板２８０には、ＣＰＵ２８１、スピーカ７や電飾ランプ６等の駆動制御プログラム等を格納するＲＯＭ２８２、主制御基板２９０からの各種制御信号を格納するＲＡＭ２８３、主制御基板２９０から送出される各種制御信号を受信する入出力回路２８４、スピーカ７を駆動制御する駆動回路７１、エラー表示電飾ランプ６等を駆動制御する駆動回路７２等が配設されている。そして、このＣＰＵ２８１、ＲＯＭ２８２、ＲＡＭ２８３、及び入出力回路２８４は、バス線により相互に接続されている。また、ＣＰＵ２８１にはクロック回路２８５が接続されて所定のクロック信号が入力される。また、入出力回路２８４には、主制御基板２９０の入出力回路２９４が接続されている。また、この入出力回路２８４には、各駆動回路７１、７２が接続されている。
【００３２】
また、図７に示すように、サブ統合制御基板２８０のＲＡＭ２８３には、クロック回路２８５から入力されるクロック信号に基づいて０から１３まで繰り返し１ずつ加算した数値（最大値１３の次には最小値０に戻る）が格納される演出パターン選択カウンタ２８３Ａが設けられている。かかる演出パターン選択カウンタ２８３Ａのカウント値は、主制御基板２９０から送信された変動パターンコマンドが入力されるタイミングで読み取られ（図１４のＳ１０２）、その読み取られたカウント値は、パラメータ記憶エリア２８３Ｂに記憶される。
【００３３】
また、図８に示すように、サブ統合制御基板２８０のＲＯＭ２８２には、後述の演出パターン選択テーブル７５（図１１参照）が格納される演出パターン選択テーブル記憶エリア２８２Ａが設けられている。更に、ＲＯＭ２８２には、後述の各演出パターンコマンド１Ａ、１１Ａ、・・・、２２Ａ（図１１、図１２参照）の選択等の制御を行う為の後述のサブ制御プログラム（図１４）が格納されている。
【００３４】
また、図４に示すように、演出表示基板２６０には、ＣＰＵ２６１、表示制御プログラムや所要の表示データを格納するＲＯＭ２６２、表示指令、表示情報、入出力信号等を格納するＲＡＭ２６３、サブ統合制御基板２８０から送出される各種制御信号を受信する入出力回路２６４、及びＣＰＵ２６１から送られた表示情報を受けて液晶表示器５２に対して画像を加工して表示するＶＤＰ（Video Display Processor）２６５等が配設されている。そして、このＣＰＵ２６１、ＲＯＭ２６２、ＲＡＭ２６３、入出力回路２６４、及びＶＤＰ２６５は、バス線により相互に接続されている。また、ＣＰＵ２６１にはクロック回路２６６が接続されて所定のクロック信号が入力される。そして、ＣＰＵ２６１は、サブ統合制御基板２８０から入力される表示パターン情報等の各種制御信号に基づいて、液晶表示器５２に所定の演出表示を行う。
また、図９に示すように、ＲＯＭ２６２には、後述の演出表示データテーブル７６（図１２参照）が格納される演出表示データテーブル記憶エリア２６２Ａが設けられている。更に、ＲＯＭ２６２には、後述の各演出パターンコマンド１Ａ、１１Ａ、・・・、２２Ａ（図１２参照）に対応する演出パターンの液晶表示器５２の表示制御を行う為の後述のサブ制御プログラム（図１５〜図１９）が格納されている。
【００３５】
次に、サブ統合制御基板２８０のＲＯＭ２８２の演出パターン選択テーブル記憶エリア２８２Ａに記憶される演出パターン選択テーブル７５の一例について図１１に基づいて説明する。ここで、演出パターン選択テーブル７５は、サブ統合制御基板２８０のＣＰＵ２８１が主制御基板２９０のＣＰＵ２９１から表示指示情報（具体的には変動パターンコマンド及び最終停止図柄情報）を入力された場合に、演出表示基板２６０のＣＰＵ２６１に出力する（指示する）演出表示指示情報としての演出パターン（演出パターンコマンド）を選択する場合に使用するテーブルである。
【００３６】
図１１に示すように、演出パターン選択テーブル７５は、主制御基板２９０のＣＰＵ２９１から入力された変動パターンの指示情報を表す「変動パターンコマンド」と、同じくＣＰＵ２９１から入力され、最終的に確定停止時に表示する３列の各図柄を表す「最終停止指示図柄」と、ＣＰＵ２９１から変動パターンコマンドが入力された際の演出パターン選択カウンタ２８３Ａのカウント値を表す「カウント値」と、この「カウント値」に対応する「演出パターンコマンド」とから構成されている。この「演出パターン」は、演出表示基板２６０のＣＰＵ２６１に対して液晶表示器５２に演出表示するように指示するリーチの種類（本実施形態では通常リーチＡ、通常リーチＢ、出汁巻き卵リーチの３種類）や、リーチ演出中の図柄の表示態様等に関する表示パターンを表している。尚、各演出パターンコマンドに基づく具体的な表示制御に関しては後に詳細に説明する（図１６〜図１９参照）。
【００３７】
例えば、主制御基板２９０から入力された「変動パターンコマンド」が「１」であった場合には、演出パターン選択カウンタ２８３Ａのカウント値に関わらず演出パターンコマンド１Ａが選択される。演出パターンコマンド１Ａは、主制御基板２９０から指示された最終停止図柄の指示通りに完全ハズレ図柄の組合せ（例えば、「５６７」）を停止表示させる演出パターンを特定するコマンドである。
【００３８】
また、主制御基板２９０から入力された「変動パターンコマンド」が「１１」であって、且つ取得した演出パターン選択カウンタ２８３Ａのカウント値が「０〜８」であった場合には、演出パターンコマンド１１Ａが選択される。演出パターンコマンド１１Ａは、所定の通常リーチＡの演出を行い、主制御基板２９０から指示された最終停止図柄の指示通りにリーチハズレ図柄の組合せ（例えば、「７６７」）を停止表示させる演出パターンを特定するコマンドである。
【００３９】
また、主制御基板２９０から入力された「変動パターンコマンド」が「２２」であった場合には、演出パターン選択カウンタ２８３Ａのカウント値に関わらず演出パターンコマンド２２Ａが選択される。演出パターンコマンド２２Ａは、出汁巻き卵の画像を左右方向に移動させながら最終停止図柄である第３図柄の変動を行う出汁巻き卵リーチの演出を行い、主制御基板２９０から指示された最終停止図柄の指示通りに大当り図柄の組合せ（例えば、「７７７」）を停止表示させる演出パターンを特定するコマンドである。
【００４０】
次に、演出表示基板２６０のＲＯＭ２６２の演出表示データテーブル記憶エリア２６２Ａに格納される演出表示データテーブル７６について図１２に基づいて説明する。ここで、演出表示データテーブル７６は、演出表示基板２６０のＣＰＵ２６１が、サブ統合制御基板２８０のＣＰＵ２８１から演出表示指示情報としての「演出パターンコマンド」（図１１参照）が入力された際に、この演出表示指示情報に対応して予め設定されている各演出表示データを選択し、図柄表示装置４８の表示制御を行う際に使用するテーブルである。
【００４１】
例えば、ＣＰＵ２６１は、サブ統合制御用ＣＰＵ２８１から演出表示指示情報として「演出パターンコマンド１Ａ」が入力された場合には、約５秒間の完全ハズレの動画データに基づいて液晶表示器５２で図柄を変動表示させ、第１図柄停止→第２図柄停止→第３図柄停止の順に完全ハズレを報知する所定の図柄の組合せを停止させる表示制御を行う。
【００４２】
また、ＣＰＵ２８１から演出表示指示情報として「演出パターンコマンド１１Ａ」が入力された場合には、所定の通常リーチＡ演出によるリーチハズレの約２０秒間の動画データに基づいて液晶表示器５２で図柄を変動表示させ、第１図柄停止→第２図柄停止→通常リーチＡ演出→第３図柄停止の順にリーチハズレを報知する所定の図柄の組合せを停止させる表示制御を行う。
【００４３】
また、ＣＰＵ２８１から演出表示指示情報として「演出パターンコマンド２２Ａ」が入力された場合には、出汁巻き卵を料理する出汁巻き卵リーチ演出による大当りの約３２秒間の動画データに基づいて液晶表示器５２で図柄を変動表示させ、第１図柄停止→第２図柄停止→出汁巻き卵リーチ演出→第３図柄停止の順に大当りを報知する所定の図柄の組合せを停止させる表示制御を行う。
【００４４】
また、図柄表示装置４８の液晶表示器５２に表示される図柄の変動・停止の動作は、上述したように、始動口５７にパチンコ球が入賞したことをトリガとして開始されるものであるが、図柄表示装置４８の液晶表示器５２に表示される図柄が変動中に、さらに、始動口５７にパチンコ球が入賞したときは、その入賞時に取得した大当りカウンタ２９３Ａ等のカウント値を記憶・保留しておき、当該変動中の図柄が停止した直後に、又は、当該変動中の図柄が所定の組合せ（大当り図柄）で停止した場合には「大当り遊技状態」が終了した直後に、記憶・保留していた大当りカウンタ２９３Ａ等のカウント値に基づいて、図柄表示装置４８の液晶表示器５２に表示される図柄の変動・停止の動作を開始する。尚、ここでは、記憶・保留されるカウント値は、４組まで保有することが可能である。
【００４５】
次に、このように構成された本実施形態に係るパチンコ機１の制御処理について図１３乃至図１９に基づき説明する。
【００４６】
先ず、本実施形態に係る主制御用ＣＰＵ２９１が実行する割込プログラムについて説明する。図１３は、主制御基板２９０のＣＰＵ２９１が実行する割込プログラムのフローチャート図である。ここで、図１３の割込プログラムは、電源投入後の一定時間毎（例えば、４ｍｓｅｃ毎）に作動するものである。尚、これら図１３にフローチャートで示される各プログラムは主制御基板２９０が備えているＲＯＭ２９２やＲＡＭ２９３に記憶されており、主制御用ＣＰＵ２９１により実行される。
【００４７】
図１３に示すように、先ずＣＰＵ２９１は、ステップ（以下、Ｓという）１において始動口５７にパチンコ球が入賞したことに基づいて大当りカウンタ２９３Ａ、リーチカウンタ２９３Ｅ等の各カウント値の取得を行う始動入賞処理を行う。
次に、Ｓ２において前記Ｓ１で取得した各カウント値に基づいて「確変大当り」、「通常大当り」、「リーチハズレ」又は「完全ハズレ」のいずれかに当選したかを判定する大当り判定処理を行う。ここで、「確変大当り」であるか否かは、大当り特別図柄選択カウンタ２９３Ｆのカウント値に基づいて判定され、例えば該カウント値が偶数である場合には「確変大当り」と、奇数の場合には「通常大当り」とそれぞれ判定される。このＳ２が、大当り判定手段の処理に相当する。
そして、Ｓ３では前記Ｓ２の判定結果、及び変動パターン選択カウンタ２９３Ｈのカウント値に基づいて変動パターンの選択を行う変動パターン選択処理を行う。
更に、Ｓ４では前記Ｓ２の判定結果、大当りに当選した際に大入賞口６０を開閉させる等の大当り遊技に係る制御を行う大当り制御処理を行う。このＳ４が大当り遊技制御手段の処理に相当する。
その後、Ｓ５では入賞口６２、６３等への入賞に基づいてパチンコ球を遊技者に払い出す賞球払出処理が行われる。
最後に、Ｓ６において変動パターンコマンド、大当り遊技開始コマンド、大当りインターバルコマンド等の各コマンドをサブ統合制御基板２８０に対して送信するコマンド送信処理が行われる。
【００４８】
次に、サブ統合制御基板２８０のＣＰＵ２８１が、前記主制御基板２９０のＣＰＵ２９１から指示情報として変動パターンを表す「変動パターンコマンド」等の各コマンドを入力された場合に実行する制御処理について図１４に基づいて説明する。尚、これら図１４にフローチャートで示される各プログラムはサブ統合制御基板２８０が備えているＲＯＭ２８２やＲＡＭ２８３に記憶されており、サブ統合制御用ＣＰＵ２８１により実行される。
【００４９】
図１４に示すように、先ず、Ｓ１０１において、サブ統合制御用ＣＰＵ２８１は、主制御基板２９０のＣＰＵ２９１から入力された「変動パターンコマンド」と「最終停止図柄情報」をＲＡＭ２８３に記憶する。
【００５０】
続いてS１０２では、主制御用ＣＰＵ２９１から前記変動パターンコマンドが入力された際の演出パターン選択カウンタ２８３Ａのカウント値を演出パターン代数Eに代入してＲＡＭ２８３のパラメータ記憶エリア２８３Ｂに記憶する。
【００５１】
更に、Ｓ１０３において、ＣＰＵ２８１は、ＲＡＭ２８３から「変動パターンコマンド」と「最終停止図柄情報」とを読み出すと共に、パラメータ記憶エリア２８３Ｂから演出パターン代数Ｅを読み出す。そして、演出パターン選択テーブル７５（図１１参照）から該当する演出パターンの「演出パターンコマンド」を演出表示基板２６０のＣＰＵ２６１に出力する（指示する）演出表示指示情報の演出パターンコマンドとしてＲＡＭ２８３に記憶する。
例えば、ＲＡＭ２８３から読み出した「変動パターンコマンド」が「１」で、「最終停止図柄情報」が「１２３」の場合には、ＣＰＵ２８１は、演出表示基板２６０のＣＰＵ２６１に出力する（指示する）演出パターンコマンドとして「１Ａ」をＲＡＭ２８３に記憶する。また、ＲＡＭ２８３から読み出した「変動パターンコマンド」が「１１」で、「最終停止図柄情報」が「７８７」で、且つパラメータ記憶エリア２８３Ｂから読み出した演出パターン代数Ｅが「３」の場合には、ＣＰＵ２８１は、演出表示基板２６０のＣＰＵ２６１に出力する（指示する）演出パターンコマンドとして「１１Ａ」をＲＡＭ２８３に記憶する。また、ＲＡＭ２８３から読み出した「変動パターンコマンド」が「２２」で、「最終停止図柄情報」が「６６６」の場合には、ＣＰＵ２８１は、演出表示基板２６０のＣＰＵ２６１に出力する（指示する）演出パターンコマンドとして「２２Ａ」をＲＡＭ２８３に記憶する（図１１参照）。
【００５２】
その後、Ｓ１０４においてＣＰＵ２８１は、ＲＡＭ２８３から「演出パターンコマンド」を読み出し、演出表示基板２６０のＣＰＵ２６１に出力して（指示して）当該処理を終了する。
例えば、ＣＰＵ２８１は、ＲＡＭ２８３から「演出パターンコマンド」として「１Ａ」を読み出した場合には、演出パターンコマンド「１Ａ」を演出表示指示情報としてＣＰＵ２６１に出力する。
また、ＣＰＵ２８１は、ＲＡＭ２８３から「演出パターンコマンド」として「２２Ａ」を読み出した場合には、演出パターンコマンド「２２Ａ」を演出表示指示情報としてＣＰＵ２６１に出力する。
【００５３】
次に、上記のように構成された演出表示基板２６０のＣＰＵ２６１が、サブ統合制御基板２８０のＣＰＵ２８１から演出表示指示情報が入力された場合に実行する制御処理について図１５乃至図１９に基づいて説明する。尚、以下に図１５乃至図１９にフローチャートで示される各プログラムは演出表示基板２６０が備えているＲＯＭ２６２やＲＡＭ２６３に記憶されており、演出表示制御用ＣＰＵ２６１により実行される。
【００５４】
図１５に示すように、先ずＳ１１１において、ＣＰＵ２６１は、サブ統合制御基板２８０のＣＰＵ２８１から演出表示指示情報が入力されると、当該演出指示情報を構成する演出パターンコマンドと、変動及び停止表示する図柄に係るデータをＲＡＭ２６３に記憶する。
【００５５】
次に、Ｓ１１２において、ＣＰＵ２６１は、演出パターンコマンドをＲＡＭ２６３から読み出し、演出パターンコマンドが完全ハズレに該当する演出パターンコマンドか否かを判定する判定処理を実行する。即ち、ＣＰＵ２６１は、ＲＡＭ２６３から読み出した演出パターンコマンドが「１Ａ」であるか否かを判定する判定処理を実行する。そして、ＲＡＭ２６３から読み出した演出パターンコマンドが「１Ａ」である場合には（Ｓ１１２：ＹＥＳ）、ＣＰＵ２６１は、後述の「完全ハズレ表示処理」のサブ処理を実行する（Ｓ１１３）。
一方、ＲＡＭ２６３から読み出した演出パターンコマンドが完全ハズレに該当する演出パターンコマンドでない場合には（Ｓ１１２：ＮＯ）、Ｓ１１４の判定処理へと移行する。
【００５６】
Ｓ１１４においてＣＰＵ２６１は、演出パターンコマンドをＲＡＭ２６３から読み出し、演出パターンコマンドがリーチハズレに該当する演出パターンコマンドか否かを判定する判定処理を実行する。即ち、ＣＰＵ２６１は、ＲＡＭ２６３から読み出した演出パターンコマンドが「１１Ａ」〜「１２Ａ」であるか否かを判定する判定処理を実行する。そして、ＲＡＭ２６３から読み出した演出パターンコマンドが「１１Ａ」〜「１２Ａ」である場合には（Ｓ１１４：ＹＥＳ）、Ｓ１１５において、ＣＰＵ２６１は、後述の「リーチハズレ表示処理」のサブ処理を実行する。
一方、ＲＡＭ２６３から読み出した演出パターンコマンドがリーチハズレに該当する演出パターンコマンドでない場合には（Ｓ１１４：ＮＯ）、Ｓ１１６の判定処理へと移行する。
【００５７】
そして、Ｓ１１６においてＣＰＵ２６１は、演出パターンコマンドをＲＡＭ２６３から読み出し、演出パターンコマンドが大当りに該当する演出パターンコマンドか否かを判定する判定処理を実行する。即ち、ＣＰＵ２６１は、ＲＡＭ２６３から読み出した演出パターンコマンドが「２１Ａ」〜「２２Ａ」のいずれかであるか否かを判定する判定処理を実行する。そして、ＲＡＭ２６３から読み出した演出パターンコマンドが上記いずれかのコマンドである場合には（Ｓ１１６：ＹＥＳ）、ＣＰＵ２６１は、後述の「大当り表示処理」のサブ処理を実行する。
一方、ＲＡＭ２６３から読み出した演出パターンコマンドが大当りに該当する演出パターンコマンドでない場合には（Ｓ１１６：ＮＯ）、当該処理を終了する。
【００５８】
次に、「完全ハズレ表示処理」（Ｓ１１３）のサブ処理について図１６に基づいて説明する。ここで、演出表示制御用ＣＰＵ２６１は、「演出パターンコマンド」と「最終停止図柄指示」をＲＡＭ２６３から再度、読み出し、ＲＯＭ２６２の演出表示データテーブル記憶エリア２６２Ａに格納される演出表示データテーブル７６（図１２参照）に従って、以下のように図柄表示装置４８の液晶表示器５２の表示を制御する。
【００５９】
先ず、図１６に示すように、Ｓ１２１においてＣＰＵ２６１は、液晶表示器５２に、左側、右側、中央に上下方向に変動する３列の各第１・第２・第３図柄の変動表示を開始する。
続いて、Ｓ１２２において、ＣＰＵ２６１は、各第１・第２・第３図柄の変動表示を開始してからＲＯＭ２６２に予め記憶する第１所定時間（例えば、約１．５秒である。）が経過した場合には、ＲＡＭ２６３から演出指示情報を構成する図柄データを読み出し、該図柄データの第１番目の図柄を液晶表示器５２の左列の第１図柄として停止表示する。また、ＣＰＵ２６１は、各第２・第３図柄の変動表示を継続する。
例えば、ＲＡＭ２６３から読み出した演出指示情報を構成する図柄データが「２３４」の場合には、ＣＰＵ２６１は、液晶表示器５２の左列の第１図柄として「２」の図柄を停止表示する。
【００６０】
そして、Ｓ１２３において、ＣＰＵ２６１は、各第１・第２・第３図柄の変動表示を開始してからＲＯＭ２６２に予め記憶する第２所定時間（例えば、約３．５秒である。）が経過した場合には、ＲＡＭ２６３から演出指示情報を構成する図柄データを読み出し、該図柄データの第３番目の図柄を液晶表示器５２の右列の第２図柄として停止表示する。また、ＣＰＵ２６１は、液晶表示器５２の左列の第１図柄を停止表示した状態で、中央部の第３図柄の変動表示を継続する。
例えば、ＲＡＭ２６３から読み出した演出指示情報を構成する図柄データが「２３４」の場合には、ＣＰＵ２６１は、液晶表示器５２の右列の第２図柄として「４」の図柄を停止表示する。
【００６１】
また、Ｓ１２４において、ＣＰＵ２６１は、各第１・第２・第３図柄の変動表示を開始してからＲＯＭ２６２に予め記憶する第３所定時間（例えば、約４．５秒である。）が経過した場合には、ＲＡＭ２６３から演出指示情報を構成する図柄データを読み出し、該図柄データの第２番目の図柄を液晶表示器５２の中央部の第３図柄として停止表示する。これにより、各第１・第２・第３図柄が完全ハズレを報知する図柄の組合せで停止表示される。
例えば、ＲＡＭ２６３から読み出した演出指示情報を構成する図柄データが「２３４」の場合には、ＣＰＵ２６１は、液晶表示器５２の中央部の第３図柄として「３」の図柄を停止表示する。
【００６２】
次に、Ｓ１２５において、ＣＰＵ２６１は、サブ統合制御基板２８０のＣＰＵ２８１から確定信号が入力されたか否かを判定する判定処理を実行する。尚、主制御用ＣＰＵ２９１は、サブ統合制御用ＣＰＵ２８１に出力した変動パターン「１」の表示時間「約５秒」を予めＲＯＭ２９２に記憶しており、当該表示時間「約５秒」が経過した場合には、ＣＰＵ２８１に確定信号を出力する。また、サブ統合制御用ＣＰＵ２８１は、主制御用ＣＰＵ２９１からこの確定信号が入力された場合には、ＣＰＵ２６１に対して液晶表示器５２に停止表示される各第１・第２・第３図柄の確定停止を指示する確定信号を出力する。
そして、サブ統合制御用ＣＰＵ２８１から確定信号が入力されていない場合には（Ｓ１２５：ＮＯ）、Ｓ１２６において、ＣＰＵ２６１は、動画表示を継続する。一方、ＣＰＵ２８１から確定信号が入力された場合には（Ｓ１２５：ＹＥＳ）、Ｓ１２７において、液晶表示器５２に停止表示される各第１・第２・第３図柄の確定停止表示を行い、当該サブ処理を終了してメインフローチャートに戻る。
【００６３】
次に、「リーチハズレ表示処理」（Ｓ１１５）のサブ処理について図１７に基づいて説明する。ここで、演出表示制御用ＣＰＵ２６１は、「演出パターンコマンド」と「最終停止図柄指示」をＲＡＭ２６３から再度、読み出し、ＲＯＭ２６２の演出表示データテーブル記憶エリア２６２Ａに格納される演出表示データテーブル７６（図１２参照）に従って、以下のように図柄表示装置４８の液晶表示器５２の表示を制御する。
【００６４】
先ず、図１７に示すように、Ｓ１３１においてＣＰＵ２６１は、液晶表示器５２に、左側、右側、中央に上下方向に変動する３列の各第１・第２・第３図柄の変動表示を開始する。
続いて、Ｓ１３２において、ＣＰＵ２６１は、各第１・第２・第３図柄の変動表示を開始してからＲＯＭ２６２に予め記憶する第１所定時間（例えば、約１．５秒である。）が経過した場合には、ＲＡＭ２６３から演出指示情報を構成する図柄データを読み出し、該図柄データの第１番目の図柄を液晶表示器５２の左列の第１図柄として停止表示する。また、ＣＰＵ２６１は、各第２・第３図柄の変動表示を継続する。
例えば、ＲＡＭ２６３から読み出した演出指示情報を構成する図柄データが「３４３」の場合には、ＣＰＵ２６１は、液晶表示器５２の左列の第１図柄として「３」の図柄を停止表示する。
【００６５】
そして、Ｓ１３３において、ＣＰＵ２６１は、各第１・第２・第３図柄の変動表示を開始してからＲＯＭ２６２に予め記憶する第２所定時間（例えば、約３．５秒である。）が経過した場合には、ＲＡＭ２６３から演出指示情報を構成する図柄データを読み出し、該図柄データの第３番目の図柄を液晶表示器５２の右列の第２図柄として停止表示する。また、ＣＰＵ２６１は、液晶表示器５２の左列の第１図柄を停止表示した状態で、中央部の第３図柄の変動表示を継続する。
例えば、ＲＡＭ２６３から読み出した演出指示情報を構成する図柄データが「３４３」の場合には、ＣＰＵ２６１は、液晶表示器５２の右列の第２図柄として「３」の図柄を停止表示する。
【００６６】
次に、Ｓ１３４において、ＣＰＵ２６１は、各第１図柄と第３図柄とが同一種類の図柄が停止したことに基づいて後述のリーチ演出処理を行う。ここで、本実施形態に係るパチンコ機１ではリーチ演出として演出時間の異なる所定の通常リーチＡ演出と通常リーチＢ演出と出汁巻き卵リーチ演出の３種類があり、どのリーチ演出が実行されるかは「演出パターンコマンド」に基づいて決定される。例えば、ＲＡＭ２６３から読み出した演出パターンコマンドが「１１Ａ」である場合には通常リーチＡ演出が開始され、「１２Ａ」である場合には出汁巻き卵リーチ演出が開始される。
【００６７】
そして、Ｓ１３５ではリーチ演出の終了時に合わせて、ＲＡＭ２６３から演出指示情報を構成する図柄データを読み出し、該図柄データの第２番目の図柄を液晶表示器５２の中央部の第３図柄として停止表示する。これにより、各第１・第２・第３図柄がリーチハズレを報知する図柄の組合せで停止表示される。
例えば、ＲＡＭ２６３から読み出した演出指示情報を構成する図柄データが「３４３」の場合には、ＣＰＵ２６１は、液晶表示器５２の中央部の第３図柄として「４」の図柄を停止表示する。
【００６８】
次に、Ｓ１３６において、ＣＰＵ２６１は、サブ統合制御基板２８０のＣＰＵ２８１から確定信号が入力されたか否かを判定する判定処理を実行する。尚、主制御用ＣＰＵ２９１は、サブ統合制御用ＣＰＵ２８１に出力した変動パターン「１１」の表示時間「約２０秒」、変動パターン「１２」の表示時間「約３０秒」を予めＲＯＭ２９２に記憶しており、当該表示時間「２０秒」又は「３０秒」が経過した場合には、ＣＰＵ２８１に確定信号を出力する。また、サブ統合制御用ＣＰＵ２８１は、主制御用ＣＰＵ２９１からこの確定信号が入力された場合には、ＣＰＵ２６１に対して液晶表示器５２に停止表示される各第１・第２・第３図柄の確定停止を指示する確定信号を出力する。
そして、サブ統合制御用ＣＰＵ２８１から確定信号が入力されていない場合には（Ｓ１３６：ＮＯ）、Ｓ１３７において、ＣＰＵ２６１は、動画表示を継続する。一方、ＣＰＵ２８１から確定信号が入力された場合には（Ｓ１３６：ＹＥＳ）、Ｓ１３８において、液晶表示器５２に停止表示される各第１・第２・第３図柄の確定停止表示を行い、当該サブ処理を終了してメインフローチャートに戻る。
【００６９】
次に、「大当り表示処理」（Ｓ１１７）のサブ処理について図１８に基づいて説明する。ここで、演出表示制御用ＣＰＵ２６１は、「演出パターンコマンド」と「最終停止図柄指示」をＲＡＭ２６３から再度、読み出し、ＲＯＭ２６２の演出表示データテーブル記憶エリア２６２Ａに格納される演出表示データテーブル７６（図１２参照）に従って、以下のように図柄表示装置４８の液晶表示器５２の表示を制御する。
【００７０】
先ず、図１８に示すように、Ｓ１４１においてＣＰＵ２６１は、液晶表示器５２に、左側、右側、中央に上下方向に変動する３列の各第１・第２・第３図柄の変動表示を開始する。
続いて、Ｓ１４２において、ＣＰＵ２６１は、各第１・第２・第３図柄の変動表示を開始してからＲＯＭ２６２に予め記憶する第１所定時間（例えば、約１．５秒である。）が経過した場合には、ＲＡＭ２６３から演出指示情報を構成する図柄データを読み出し、該図柄データの第１番目の図柄を液晶表示器５２の左列の第１図柄として停止表示する。また、ＣＰＵ２６１は、各第２・第３図柄の変動表示を継続する。
例えば、ＲＡＭ２６３から読み出した演出指示情報を構成する図柄データが「２２２」の場合には、ＣＰＵ２６１は、液晶表示器５２の左列の第１図柄として「２」の図柄を停止表示する。
【００７１】
そして、Ｓ１４３において、ＣＰＵ２６１は、各第１・第２・第３図柄の変動表示を開始してからＲＯＭ２６２に予め記憶する第２所定時間（例えば、約３．５秒である。）が経過した場合には、ＲＡＭ２６３から演出指示情報を構成する図柄データを読み出し、該図柄データの第３番目の図柄を液晶表示器５２の右列の第２図柄として停止表示する。また、ＣＰＵ２６１は、液晶表示器５２の左列の第１図柄を停止表示した状態で、中央部の第３図柄の変動表示を継続する。
例えば、ＲＡＭ２６３から読み出した演出指示情報を構成する図柄データが「２２２」の場合には、ＣＰＵ２６１は、液晶表示器５２の右列の第２図柄として「２」の図柄を停止表示する。
【００７２】
次に、Ｓ１４４において、ＣＰＵ２６１は、各第１図柄と第３図柄とが同一種類の図柄が停止したことに基づいて後述のリーチ演出処理を行う。ここで、本実施形態に係るパチンコ機１ではリーチ演出として演出時間の異なる所定の通常リーチＡ演出と通常リーチＢ演出と出汁巻き卵リーチ演出の３種類があり、どのリーチ演出が実行されるかは「演出パターンコマンド」に基づいて決定される。例えば、ＲＡＭ２６３から読み出した演出パターンコマンドが「２１Ａ」である場合には通常リーチＡ演出が開始され、「２２Ａ」である場合には出汁巻き卵リーチ演出が開始される。
【００７３】
そして、Ｓ１４５ではリーチ演出の終了時に合わせて、ＲＡＭ２６３から演出指示情報を構成する図柄データを読み出し、該図柄データの第２番目の図柄を液晶表示器５２の中央部の第３図柄として停止表示する。これにより、各第１・第２・第３図柄が大当りを報知する図柄の組合せで停止表示される。
例えば、ＲＡＭ２６３から読み出した演出指示情報を構成する図柄データが「２２２」の場合には、ＣＰＵ２６１は、液晶表示器５２の中央部の第３図柄として「２」の図柄を停止表示する。
【００７４】
次に、Ｓ１４６において、ＣＰＵ２６１は、サブ統合制御基板２８０のＣＰＵ２８１から確定信号が入力されたか否かを判定する判定処理を実行する。尚、主制御用ＣＰＵ２９１は、サブ統合制御用ＣＰＵ２８１に出力した変動パターン「２１」の表示時間「約２２秒」、変動パターン「２２」の表示時間「約３２秒」を予めＲＯＭ２９２に記憶しており、当該表示時間「２２秒」又は「３２秒」が経過した場合には、ＣＰＵ２８１に確定信号を出力する。また、サブ統合制御用ＣＰＵ２８１は、主制御用ＣＰＵ２９１からこの確定信号が入力された場合には、ＣＰＵ２６１に対して液晶表示器５２に停止表示される各第１・第２・第３図柄の確定停止を指示する確定信号を出力する。
そして、サブ統合制御用ＣＰＵ２８１から確定信号が入力されていない場合には（Ｓ１４６：ＮＯ）、Ｓ１４７において、ＣＰＵ２６１は、動画表示を継続する。一方、ＣＰＵ２８１から確定信号が入力された場合には（Ｓ１４６：ＹＥＳ）、Ｓ１４８において、液晶表示器５２に停止表示される各第１・第２・第３図柄の確定停止表示を行い、当該サブ処理を終了してメインフローチャートに戻る。
【００７５】
次に、前記Ｓ１３４及びＳ１４４で実行される「リーチ演出処理」のサブ処理について図１９に基づいて説明する。尚、本実施形態に係るパチンコ機１では前記したように通常リーチＡ演出と通常リーチＢ演出と出汁巻き卵リーチ演出の３種類があるが、以下には特に出汁巻き卵リーチ演出について説明することとし、通常リーチＡ演出及び通常リーチＢ演出についての説明は省略する。図１９は、本実施形態に係る演出表示制御用ＣＰＵ２６１が実行するリーチ演出処理について示したフローチャートである。
【００７６】
図１９に示すように、先ずＳ１５１では、ＣＰＵ２６１はサブ統合制御基板２８０から指示された「演出パターンコマンド」に基づいて、実行されるリーチ演出パターンが、通常リーチであるか出汁巻き卵リーチであるかを判定する。そして、通常リーチであると判定された場合（Ｓ１５１：ＮＯ）には、所定の通常リーチＡ又は通常リーチＢを行った後、大当り又はハズレのいずれかとなったことを遊技者に報知して（Ｓ１５２）当該リーチ演出処理を終了する。
一方、出汁巻き卵リーチであると判定された場合（Ｓ１５１：ＹＥＳ）には、Ｓ１５３へと移行し、以下のように出汁巻き卵リーチの表示制御を開始する。
【００７７】
先ず、液晶表示器５２の表示領域５３には、図２０に示す第１リーチ演出画面８０を表示する。図２０に示すように第１リーチ演出画面８０では、これから出汁巻き卵リーチが開始されることを報知するタイトル文字等が表示される。
【００７８】
次に、Ｓ１５４では前記Ｓ１３２及びＳ１４２で停止表示された第１図柄８１を縮小表示して、液晶表示器５２の表示領域５３の左上隅に移動する（図２１参照）。また、前記Ｓ１３３及びＳ１４３で停止表示された第２図柄８２を縮小表示して、液晶表示器５２の表示領域５３の右上隅に移動する（図２１参照）。
【００７９】
その後、液晶表示器５２の表示領域５３には、図２１に示す第２リーチ演出画面８３を表示する。図２１に示すように第２リーチ演出画面８３では、男の子８４が演出キャラクタである卵８５を割ってフライパン８６で出汁巻き卵の料理を開始する様子が表示される（Ｓ１５５）。
【００８０】
続いて、液晶表示器５２の表示領域５３には、図２２に示す第３リーチ演出画面８７を表示する。図２２に示すように第３リーチ演出画面８７では、フライパン８６上の略中央位置に対して第３図柄８８が表示される（Ｓ１５６）。ここで、前記Ｓ１５６で表示される第３図柄８８は、停止表示された際に大当りを報知する図柄の組合せとなる所謂当り図柄（例えば「７」）の−５図柄（例えば「２」）である。
【００８１】
その後、液晶表示器５２の表示領域５３には、図２３に示す第４リーチ演出画面９０を表示する。図２３に示すように第４リーチ演出画面９０では、フライパン８６の上に卵８５を流し込むことによって、第３図柄８８に重畳させて卵８５を表示する（Ｓ１５７）。
【００８２】
更に、液晶表示器５２の表示領域５３には、図２４に示す第５リーチ演出画面９１及び図２５に示す第６リーチ演出画面９３を表示する。図２４に示すように第５リーチ演出画面９１では、フライパン８６の上に流し込まれた卵８５を右端から巻き取ることによって徐々に左方向へと移動させ、更に、卵８５の移動に合わせて重畳して表示された第３図柄を＋１変動する（Ｓ１５８）。そして、図２５に示す第６リーチ演出画面９３のように卵８５を完全に巻き取った状態では、卵８５が流し込まれる前の第３図柄８８を＋１変動した新たな第３図柄９２がフライパン８６上の略中央部に表示される。尚、上記Ｓ１５８が第１図柄変動手段の処理に相当する。
【００８３】
続いて、液晶表示器５２の表示領域５３には、図２６に示す第７リーチ演出画面９４を表示する。図２６に示すように第７リーチ演出画面９４では、フライパン８６の隅に前記Ｓ１５８で巻き取った卵８５を置いた状態で、更にフライパン８６の上に卵８５を流し込むことによって、第３図柄９２に重畳させて卵８５を表示する（Ｓ１５９）。
【００８４】
更に、液晶表示器５２の表示領域５３には、図２７に示す第８リーチ演出画面９５及び図２８に示す第９リーチ演出画面９６を表示する。図２７に示すように第８リーチ演出画面９５では、フライパン８６の上に流し込まれた卵８５を左端から巻き取ることによって徐々に前記Ｓ１５８と１８０度方向の異なる右方向へと移動させ、更に、卵８５の移動に合わせて重畳して表示された第３図柄を＋１変動する（Ｓ１６０）。その結果、図２８に示す第９リーチ演出画面９６のように、卵８５が流し込まれる前の第３図柄９２を＋１変動した新たな第３図柄９７がフライパン８６上の略中央部に表示される。尚、上記Ｓ１６０が第２図柄変動手段の処理に相当する。また、Ｓ１５７、Ｓ１５９が重畳表示手段の処理に相当する。
【００８５】
次に、Ｓ１６１ではフライパン８６上に表示された第３図柄９７が当り図柄の−１図柄であるか否か判定される。
その結果、第３図柄９７が当り図柄の−１図柄でないと判定された場合（Ｓ１６１：ＮＯ）には、Ｓ１５７へと戻り、再びフライパン８６の上に卵８５を流し込むことによって、第３図柄９７に重畳させて卵８５を表示する。そして、同様にして卵８５の巻取りを行う。
【００８６】
一方、第３図柄９７が当り図柄の−１図柄であると判定された場合（Ｓ１６１：ＹＥＳ）には、更に、現在表示する演出パターンが大当りを報知する大当りの演出パターンであるか否かが判定される（Ｓ１６２）。具体的に、ＣＰＵ２６１はサブ統合制御基板２８０から指示された「演出パターンコマンド」に基づいて大当りの演出パターンであるか否かを判定し、演出パターンコマンドが「２２Ａ」である場合には大当りの演出パターンであると判定される。
【００８７】
そして、大当りの演出パターンであると判定された場合（Ｓ１６２：ＹＥＳ）には、再びフライパン８６の上に卵８５を流し込むことによって、第３図柄９７に重畳させて卵８５を表示する（Ｓ１６３）。その後、Ｓ１５８と同様にしてフライパン８６の上に流し込まれた卵８５を右端から巻き取ることによって徐々に左方向へと移動させ、更に、卵８５の移動に合わせて重畳して表示された第３図柄を当り図柄に変動する（Ｓ１６４）。その後、図２９に示すように当り図柄９８を画面略中央に表示させた当り報知画面９９を表示し、「大当り」となったことを遊技者に報知する（Ｓ１６５）。そして、リーチ演出処理を終了し、Ｓ１３５又はＳ１４５の処理へと移行する。尚、上記Ｓ１６３及びＳ１６４が大当り報知手段の処理に相当する。
【００８８】
一方、大当りの演出パターンでないと判定された場合（Ｓ１６２：ＮＯ）には、再びフライパン８６の上に卵８５を流し込むことによって、第３図柄９７に重畳させて卵８５を表示する（Ｓ１６６）。その後、液晶表示器５２の表示領域５３には、図３０に示す第１０リーチ演出画面１００を表示する。図３０に示すように第１０リーチ演出画面１００では、フライパン８６の上に流し込まれた卵８５を右端から巻き取ることによってフライパン８６の略中央位置まで左方向へ移動させ、その後に移動前の位置方向である右方向へと卵８５を巻き戻す（Ｓ１６７）。その後、当り図柄の−１図柄である外れ図柄を画面略中央に表示させたハズレ報知画面を表示し、「ハズレ」となったことを遊技者に報知する（Ｓ１６８）。そして、リーチ演出処理を終了し、Ｓ１３５又はＳ１４５の処理へと移行する。尚、上記Ｓ１６６及びＳ１６７がハズレ報知手段の処理に相当する。
【００８９】
以上説明したとおり、本実施形態に係るパチンコ機１によれば、主制御基板２９０のＣＰＵ２９１からサブ統合制御基板２８０のＣＰＵ２８１に例えば「変動パターンコマンド」として「２２」が出力された場合には、ＣＰＵ２８１は変動パターンコマンド「２２」に対応して演出パターンコマンド「２２Ａ」を選択して演出表示基板２６０のＣＰＵ２６１に出力する。そして、ＣＰＵ２６１は、この入力された演出パターンコマンドに対応する演出表示パターンを選択して液晶表示器５２に表示する。例えば、ＣＰＵ２６１に演出パターン「２２Ａ」が入力された場合には、ＣＰＵ２６１は、演出表示パターンとして約３２秒間の動画を選択して液晶表示器５２に表示する。
その際、特に出汁巻き卵リーチによる演出パターンが選択された場合には、液晶表示器５２の表示領域５３に対してフライパン８６と第３図柄９２とをそれぞれ表示し、第３図柄９２に重畳して表示された卵８５をフライパン８６の上で左方向と右方向に交互に巻き取りつつ規則的に移動させる（Ｓ１５７〜Ｓ１６０）。そして、卵８５の移動に伴って、フライパン８６上に表示された第３図柄を変動させ、当り図柄を停止表示するまで卵８５の移動を完了させることができたか否かによって抽選結果を遊技者に報知するように制御するものである。特に、ハズレを報知する場合には、卵８５をフライパン８６の中央付近まで規則的に所定距離移動させた後に、逆方向へと移動させることにより行う。
それにより、大当り又は外れの判定結果の報知を規則性を持たせた表示制御により行うことができ、ある特定のタイミングとなるまで結果が十分な確実性で予測され難くすることができる。
また、演出キャラクタである卵８５を１８０度異なる方向へと交互に移動させることにより、より規則性を持たせた表示制御が可能となる。
【００９０】
尚、本発明は、上記実施形態に限定されるものではなく、本発明の要旨を逸脱しない範囲内で種々の改良、変形が可能であることは勿論である。
例えば、本実施形態では出汁巻き卵リーチにおいて、演出キャラクタである卵８５をフライパン上に流し込んだ際に第３図柄が一時的に非表示となるが、卵８５を流し込んだ状態でも第３図柄を表示することとしても良い。更に、その際に表示する第３図柄としてはブランク図柄にしても良い。
また、演出キャラクタである卵８５を移動させる方向は上下方向であっても良い。
【図面の簡単な説明】
【００９１】
【図１】本実施形態に係るパチンコ機全体を示した正面側斜視図である。
【図２】同パチンコ機全体を示した背面側斜視図である。
【図３】同パチンコ機の遊技盤を示す正面図である。
【図４】同パチンコ機の駆動制御に係る制御システムの構成を示すブロック図である。
【図５】同パチンコ機の主制御基板のＲＡＭの構成を示すブロック図である。
【図６】同パチンコ機の主制御基板のＲＯＭの構成を示すブロック図である。
【図７】同パチンコ機のサブ統合制御基板のＲＡＭの構成を示すブロック図である。
【図８】同パチンコ機のサブ統合制御基板のＲＯＭの構成を示すブロック図である。
【図９】同パチンコ機の演出表示基板のＲＯＭの構成を示すブロック図である。
【図１０】同パチンコ機の変動パターン選択テーブルの一例を示す図である。
【図１１】同パチンコ機の演出パターン選択テーブルの一例を示す図である。
【図１２】同パチンコ機の演出表示データテーブルの一例を示す図である。
【図１３】同パチンコ機の割込プログラムについてのフローチャート図である。
【図１４】サブ統合制御基板のＣＰＵが、主制御基板のＣＰＵから指示情報として各コマンドを受信した場合に実行する制御処理を示すメインフローチャートである。
【図１５】演出表示基板のＣＰＵが、サブ統合制御基板のＣＰＵから演出表示指示情報が入力された場合に実行する制御処理を示すメインフローチャートである。
【図１６】「完全ハズレ表示処理」のサブ処理を示すサブフローチャートである。
【図１７】「ハズレリーチ表示処理」のサブ処理を示すサブフローチャートである。
【図１８】「大当り表示処理」のサブ処理を示すサブフローチャートである。
【図１９】「リーチ演出処理」のサブ処理を示すサブフローチャートである。
【図２０】第１リーチ演出画面を示す正面図である。
【図２１】第２リーチ演出画面を示す正面図である。
【図２２】第３リーチ演出画面を示す正面図である。
【図２３】第４リーチ演出画面を示す正面図である。
【図２４】第５リーチ演出画面を示す正面図である。
【図２５】第６リーチ演出画面を示す正面図である。
【図２６】第７リーチ演出画面を示す正面図である。
【図２７】第８リーチ演出画面を示す正面図である。
【図２８】第９リーチ演出画面を示す正面図である。
【図２９】大当りを報知する当り報知画面を示す図である。
【図３０】第１０リーチ演出画面を示す正面図である。
【符号の説明】
【００９２】
１…パチンコ機、４８…図柄表示装置、５２…液晶表示器、８５…卵、８８、９２、９７…第３図柄、９８…当り図柄、２６０…演出表示基板、２６１…ＣＰＵ、２６２…ＲＯＭ、２６３…ＲＡＭ、
【図１】
2007312978.tif 000003
【図２】
2007312978.tif 000004
【図３】
2007312978.tif 000005
【図４】
2007312978.tif 000006
【図５】
2007312978.tif 000007
【図６】
2007312978.tif 000008
【図７】
2007312978.tif 000009
【図８】
2007312978.tif 000010
【図９】
2007312978.tif 000011
【図１０】
2007312978.tif 000012
【図１１】
2007312978.tif 000013
【図１２】
2007312978.tif 000014
【図１３】
2007312978.tif 000015
【図１４】
2007312978.tif 000016
【図１５】
2007312978.tif 000017
【図１６】
2007312978.tif 000018
【図１７】
2007312978.tif 000019
【図１８】
2007312978.tif 000020
【図１９】
2007312978.tif 000021
【図２０】
2007312978.tif 000022
【図２１】
2007312978.tif 000023
【図２２】
2007312978.tif 000024
【図２３】
2007312978.tif 000025
【図２４】
2007312978.tif 000026
【図２５】
2007312978.tif 000027
【図２６】
2007312978.tif 000028
【図２７】
2007312978.tif 000029
【図２８】
2007312978.tif 000030
【図２９】
2007312978.tif 000031
【図３０】
2007312978.tif 000032